(57)【要約】【課題】装飾性の維持の要請に応じつつも、可動物の形状や配置場所の自由度を増加させるような作動機構を備えたパチンコ機を提供すること。【解決手段】センター飾り部７Ａの背面側に取り付けられたファンＦ１から送り出された風が、センター飾り部７Ａの内部に設けられた送風路１０５を介して、センター飾り部７Ａの正面側に取り付けられた吹出口１０７から風が吹き出され、さらに、吹出口１０７にはめ込まれた方向制御板１０４によって、吹出口１０７から吹き出した風の向きが制御され、人形１０１のスカート１０２に向かわせて、これにより、人形１０１のスカート１０２をなびかせている。このとき、センター飾り部７Ａを介して遊技盤６の裏側に配設されたファンＦ１がケーシング３０１で覆われる。【選択図】  図７
2004350977.tif 000002
【特許請求の範囲】
【請求項１】
パチンコ球が転動する遊技領域を有する遊技盤と、
風を起こす風力源と、
前記遊技盤に配設されるとともに、前記風力源からの風が当たることにより動き出す形状を有する可動物と、を備え、
前記風力源がケーシングされていること、を特徴とするパチンコ機。
【請求項２】
請求項１に記載するパチンコ機であって、
前記可動物がパチンコ球とは非接触の演出専用のものであること、を特徴とするパチンコ機。
【発明の詳細な説明】
【０００１】
【発明の属する技術分野】
本発明は、可動物を有するパチンコ機に関する。
【０００２】
【従来の技術】
従来、パチンコ機では、遊技性に関係する入賞口等の可動物を動かしてきた。また、近頃では、遊技性に関係しない演出専用の可動物も増えてきている。そのため、パチンコ機の差別化を狙う観点から、可動物の形状に色々なパターンが増え、また、可動物の配置場所についても、色々なパターンが増えてきている（例えば、特許文献１、特許文献２参照）。
【０００３】
【特許文献１】
特開平７−２５５９３７号公報
【特許文献２】
特開２００１−９６００８号公報
【０００４】
【発明が解決しようとする課題】
しかしながら、これらの可動物の作動機構は、従来より、機械的動力手段（パチンコ球の重み、機械部材の動きを含む）又は電気的動力手段（ソレノイド等）のいずれかである。
一方、パチンコ機は、機能最優先ではなく、装飾面も同レベルの重要性をもって１個の遊技機として完成されている。従って、通常の家電と異なる遊ぶ道具としてのパチンコ機の価値を維持するためにその遊技性を向上させる場合であっても、装飾性を犠牲にしてはならない。
よって、パチンコ機の差別化をさらに図ろうとしても、可動物の作動機構が限定されている現状では、装飾性の維持の要請に応じる必要性から、可動物の形状や配置場所を変化させるにも限界があった。
【０００５】
そこで、本発明は、上述した点を鑑みてなされたものであり、装飾性の維持の要請に応じつつも、可動物の形状や配置場所の自由度を増加させるような作動機構を備えたパチンコ機を提供することを課題とする。
【０００６】
【課題を解決するための手段】
この課題を解決するために成された請求項１に係る発明は、パチンコ機であって、パチンコ球が転動する遊技領域を有する遊技盤と、風を起こす風力源と、前記遊技盤に配設されるとともに、前記風力源からの風が当たることにより動き出す形状を有する可動物と、を備え、前記風力源がケーシングされていること、を特徴としている。
【０００７】
また、請求項２に係る発明は、請求項１に記載するパチンコ機であって、前記可動物がパチンコ球とは非接触の演出専用のものであること、を特徴としている。
【０００８】
すなわち、本発明のパチンコ機では、風を起こす風力源と、その風力源からの風が当たることにより動き出す形状を有する可動物（以下、「風力可動物」ともいう）と、を備えることにより、可動物の作動機構が、従来技術の欄で述べた機械的動力手段や電気的動力手段とは異なって、外部からの視認が難しい風力手段であり、装飾性に悪影響を及ぼすものでないことから、本発明のパチンコ機は、装飾性の維持の要請に応じつつも、可動物の形状や配置場所の自由度を増加させるような作動機構を備えたものと言うことができる。
【０００９】
また、パチンコ機の内部や裏面は、掃除することが難しく、塵や埃などが積もりやすい環境なので、風力源で風を起こすと、塵や埃などが立ち、さらに、遊技盤に配設された「風力可動物」に向かう風に塵や埃などが乗って、遊技盤の遊技領域に塵や埃などを導きやすくなり、ひいては、パチンコ球が転動する遊技領域に塵や埃などが存在することが要因となって、本来遊技上にあってはならない事態が発生するおそれがある。この点、本発明のパチンコ機では、風力源がケーシングされているので、遊技盤に配設された「風力可動物」に向かう風に塵や埃などが乗ることが殆ど無くなり、本来遊技上にあってはならない事態の発生を防止できる。
【００１０】
また、本発明のパチンコ機において、「風力可動物」が演出専用のものであれば、パチンコ球とは接触しないことから、風力源からの風及び「風力可動物」の形状によって、パチンコ球の転動が乱れることはない。
【００１１】
【発明の実施の形態】
以下、本発明の実施の形態を図面を参照にして説明する。図１は、本実施の形態のパチンコ機１の正面図である。また、図２は、本実施の形態のパチンコ機１の遊技盤６の正面図である。また、図３は、本実施の形態のパチンコ機１の遊技盤６の側面図である。また、図４は、本実施の形態のパチンコ機１の遊技盤６の背面図である。図１に示すように、本実施の形態のパチンコ機１では、円形状に露出したガラス４がガラス扉２の中央に設けられている。また、ガラス４の上方には、後述するランプを覆うための装飾ランプカバー部３が設けられ、さらに、ガラス４の左右には、正面枠部Ｗが確保されている。また、ガラス扉２の下方には、後述するスピーカのためのスピーカ開口部１９が設けられている。
尚、ガラス４は、透明な樹脂であってもよい。
【００１２】
そして、本実施の形態のパチンコ機１の遊技領域Ｕには、図２にも示すように、遊技盤６上にそれぞれ設けられた、センター飾り部７Ａ，７Ｂや、始動口９、２個の入賞口１０，１１を有する左側入賞口部１２、大入賞口１３を有する大入賞口部１４、２個の入賞口１５，１６を有する右側入賞口部１７、複数の遊技釘（不図示）などが配置されている。
【００１３】
この点、遊技領域Ｕの中央には、遊技盤６の中央に設けられることにより、センター飾り部７Ａ又はセンター飾り部７Ｂのいずれかが配置される。センター飾り部７Ａとセンター飾り部７Ｂとの差異は後述するが、図１及び図２に示すように、遊技盤６の正面側から見た場合は、センター飾り部７Ａとセンター飾り部７Ｂとの差異はない。そこで、センター飾り部７Ａ及びセンター飾り部７Ｂを正面側から見た場合より説明すると、センター飾り部７Ａ及びセンター飾り部７Ｂには、３つの変動図柄などが表示される表示器８が設けられ、さらに、表示器８の右側には、布状のスカート１０２をはいた人形１０１が設けられている。そして、人形１０１に対しては、足の前面・側面・後面から後頭部の背後までをカバー１０３で覆うとともに、頭の上方には庇１０６が設けられている。そのため、人形１０１は、カバー１０３及び庇１０６に囲まれているので、遊技領域Ｕを転動するパチンコ球が衝突することはない。
【００１４】
尚、スカート１０２は、布製のものであるが、形・感触が布状の樹脂製のものであってもよい。
また、図３及び図４では、ファンＦ１が取り付けられていることから、遊技盤６の中央に取付けられたものは、センター飾り部７Ａとなる。
また、本実施の形態のパチンコ機１において、遊技盤６の遊技領域Ｕとは、ガラス扉２のガラス４から露出した遊技盤６の領域にほぼ等しい。
【００１５】
また、図４に示すように、始動口９の裏側には、始動口９にパチンコ球が入賞したことを検知するための始動口入賞スイッチ８１が設けられている。また、大入賞口１３の裏側には、後述する大入賞口スイッチや、Ｖゾーンセンサ、大入賞口開閉ソレノイドなどが設けられた基板１８が設けられている。
【００１６】
そして、本実施の形態のパチンコ機１は、第１種のパチンコ機であり、始動口９にパチンコ球が入賞すると、表示器８に表示された３つの変動図柄が変動を開始し、それらの変動図柄が大当たり図柄で停止すると、所謂「大当たり遊技状態」になり、所謂「大当たり遊技状態」では、例えば、大入賞口１３に１０個のパチンコ球が入賞するか、あるいは、所定時間が経過するまで、大入賞口１３を開放させ、このとき、Ｖゾーン（図示しない）にパチンコ球が入賞すれば次のラウンドに進み、最高で１５ラウンドまで継続して進むことができる。従って、大入賞口１３が開放中にＶゾーン（図示しない）にパチンコ球が入賞しなかったり、あるいは、１５ラウンドまで消化すると、所謂「大当たり遊技状態」は終了する。
【００１７】
次に、センター飾り部７Ａについて、図５〜図１０に基づいて説明する。図５は、カバー１０３（図１，図２参照）を取り外した際のセンター飾り部７Ａの正面図である。また、図６は、センター飾り部７Ａの背面図である。また、図７は、図５の線Ａ−Ａで切断したセンター飾り部７Ａの断面図である。また、図８は、ファンＦ１（図６参照）を取り外した際のセンター飾り部７Ａの背面図である。また、図９は、センター飾り部７Ａで使用するファンＦ１について、（ａ）は正面図であり、（ｂ）は背面図であり、（ｃ）は側面図であり、（ｄ）は（ｃ）の線Ｂ−Ｂで切断した際の断面図である。また、図１０は、図５の線Ａ−Ａで切断したセンター飾り部７Ａの断面図であって、人形１０１のスカート１０２とガラス４との距離関係を示した図である。
【００１８】
上述したように、センター飾り部７Ａの正面には、図５に示すように、３つの変動図柄などが表示される表示器８が設けられ、さらに、表示器８の右側には、布状のスカート１０２をはいた人形１０１が設けられている。そして、人形１０１の足の周辺には、カバー１０３（図１，図２参照）を着脱させるための複数の係合部２０１が設けられるとともに、頭の上方には庇１０６が設けられている。さらに、人形１０１の右足の後方には、方向制御板１０４がはめ込まれた吹出口１０７が設けられている。
【００１９】
また、センター飾り部７Ａの背面には、図８に示すように、表示器８の左側に、送風路１０５が設けられている。そして、送風路１０５の奥には、方向制御板１０４を見ることができる。従って、送風路１０５は、方向制御板１０４がはめ込まれた吹出口１０７（図５参照）と連通している。また、送風路１０５の周辺には、ファンＦ１（図６参照）を取り付けるための２個の回動係止部２０２が設けられている。また、送風路１０５の下方には、ファンＦ１のモータ３０４（図９の（ｃ）参照）をはめ込むための１個の凹部２０４が設けられている。また、凹部２０４の下方には、ファンＦ１（図６参照）を取り付けるための１個の係止部２０３が設けられている。
【００２０】
ここで、ファンＦ１について、図９（ａ）〜（ｄ）に基づいて説明する。図９（ａ）〜（ｄ）に示すように、ファンＦ１は、「遠心ファン」として、モータ３０４で回転するシロッコ３０２がケーシング３０１に内蔵されたシロッコファンを使用しており、モータ３０４によりシロッコ３０２が回転すると、送風口３０３から風が送り出される。また、ケーシング３０１の２箇所からは、取付用のプレート部３０５が延設されている。
【００２１】
従って、図６に示すように、センター飾り部７Ａの背面では、表示器８の左側において、ファンＦ１のモータ３０４（図９（ｃ）参照）を凹部２０４（図８参照）にはめ込んで、ファンＦ１のケーシング３０１の下部を係止部２０３で支えつつ、ファンＦ１の２箇所のプレート部３０５に対し２個の回動係止部２０２のそれぞれを回動・係止させることにより、ファンＦ１を取り付けることができる。
【００２２】
このとき、図７に示すように、ファンＦ１の送風口３０３とセンター飾り部７Ａの送風路１０５とは連通する。従って、ファンＦ１の送風口３０３から風が送り出されると、センター飾り部７Ａの送風路１０５を介して、センター飾り部７Ａの吹出口１０７から風が吹き出される。さらに、センター飾り部７Ａにおいては、吹出口１０７にはめ込まれた方向制御板１０４によって、吹出口１０７から吹き出した風の向きが制御され、人形１０１のスカート１０２に向かわせている。
【００２３】
よって、吹出口１０７から風が吹き出されると、人形１０１のスカート１０２が風になびくことになるが、人形１０１のスカート１０２がどんなに風になびいても、図１０に示すように、人形１０１のスカート１０２がガラス扉２（図１参照）のガラス４やカバー１０３（図１，図２参照）に接触することがなく、そのように、人形１０１のスカート１０２の長さが決められている。すなわち、人形１０１のスカート１０２が固定された支点Ｐからガラス扉２（図１参照）のガラス４までの間隔Ｌ１よりも、人形１０１のスカート１０２が固定された支点Ｐに対して人形１０１のスカート１０２の先端が離れ得る最長距離Ｌ２は短い。
【００２４】
次に、センター飾り部７Ｂについて、図１１〜図１６に基づいて説明する。図１１は、カバー１０３（図１，図２参照）を取り外した際のセンター飾り部７Ｂの正面図である。また、図１２は、センター飾り部７Ｂの背面図である。また、図１３は、図１１の線Ａ′−Ａ′で切断したセンター飾り部７Ｂの断面図である。また、図１４は、ファンＦ２（図１２参照）を取り外した際のセンター飾り部７Ｂの背面図である。また、図１５は、センター飾り部７Ｂで使用するファンＦ２について、（ａ）は正面図であり、（ｂ）は背面図であり、（ｃ）は側面図である。また、図１６は、図１１の線Ａ′−Ａ′で切断したセンター飾り部７Ｂの断面図であって、人形１０１のスカート１０２とガラス４との距離関係を示した図である。
【００２５】
上述したように、センター飾り部７Ｂの正面には、図１１に示すように、３つの変動図柄などが表示される表示器８が設けられ、さらに、表示器８の右側には、布状のスカート１０２をはいた人形１０１が設けられている。そして、人形１０１の足の周辺には、カバー１０３（図１，図２参照）を着脱させるための係合部２０１が設けられるとともに、頭の上方には庇１０６が設けられている。さらに、人形１０１の右足の後方には、方向制御板１０４がはめ込まれた吹出口１０７が設けられている。
【００２６】
また、センター飾り部７Ｂの背面には、図１４に示すように、表示器８の左側に、送風路１０５が設けられている。そして、送風路１０５の奥には、方向制御板１０４を見ることができる。従って、送風路１０５は、方向制御板１０４がはめ込まれた吹出口１０７（図１１参照）と連通している。また、送風路１０５の周辺には、ファンＦ２（図１２参照）を取り付けるための２個の螺孔２０５が設けられている。
【００２７】
ここで、ファンＦ２について、図１５（ａ）〜（ｃ）に基づいて説明する。図１５（ａ）〜（ｃ）に示すように、ファンＦ２は、モータ３１３で回転するプロペラ３１２がプロペラカバー３１１に内在するプロペラファンであり、モータ３１３によりプロペラ３１２が回転すると、プロペラ３１２の前方（モータ３１３とは反対方向）へ風が送り出される。また、プロペラカバー３１１の２箇所には、取付用の取付穴３１４が貫設されている。
【００２８】
従って、図１２に示すように、センター飾り部７Ｂの背面では、表示器８の左側において、ファンＦ２のプロペラカバー３１１の取付穴３１４（図１５（ｂ）参照）を通して、センター飾り部７Ｂの螺孔２０５（図１４参照）にネジ２０４をねじ込むことにより、ファンＦ２を取り付けることができる。
【００２９】
このとき、図１３に示すように、ファンＦ２のプロペラカバー３１１の前方にセンター飾り部７Ｂの送風路１０５が位置する。従って、ファンＦ２のプロペラカバー３１１に内在するプロペラ３１２（図１５（ａ）参照）の前方へ風が送り出されると、センター飾り部７Ｂの送風路１０５を介して、センター飾り部７Ｂの吹出口１０７から風が吹き出される。さらに、センター飾り部７Ｂにおいては、吹出口１０７にはめ込まれた方向制御板１０４によって、吹出口１０７から吹き出した風の向きが制御され、人形１０１のスカート１０２に向かわせている。
【００３０】
よって、吹出口１０７から風が吹き出されると、人形１０１のスカート１０２が風になびくことになるが、人形１０１のスカート１０２がどんなに風になびいても、図１６に示すように、人形１０１のスカート１０２がガラス扉２（図１参照）のガラス４やカバー１０３（図１，図２参照）に接触することがなく、そのように、人形１０１のスカート１０２の長さが決められている。すなわち、人形１０１のスカート１０２が固定された支点Ｐからガラス扉２（図１参照）のガラス４までの間隔Ｌ１よりも、人形１０１のスカート１０２が固定された支点Ｐに対して人形１０１のスカート１０２の先端が離れ得る最長距離Ｌ２は短い。
【００３１】
尚、ファンＦ２のプロペラカバー３１１に内在するプロペラ３１２（図１５（ａ）参照）が逆回転すると、センター飾り部７Ｂの吹出口１０７に空気が吸い込まれる。このとき、センター飾り部７Ｂにおいては、吹出口１０７にはめ込まれた方向制御板１０４によって、吹出口１０７に吸い込まれる空気の向きが制御され、人形１０１のスカート１０２側に介在する空気が吸い込まれることから、人形１０１のスカート１０２は人形１０１の足にまとわりつくことになる。
【００３２】
また、図１７は、本実施の形態のパチンコ機１のブロック図である。図１７に示すように、本実施の形態のパチンコ機１では、メイン制御基板２０と、サブ制御基板３０、表示制御基板４０、ランプ制御基板５０、音制御基板６０、賞球制御基板７０などが設けられている。
【００３３】
この点、メイン制御基板２０には、メイン制御用ＣＰＵ２１や、メイン制御用ＲＯＭ２２、メイン制御用ＲＡＭ２３、入力・出力ポート２４などが搭載されている。さらに、入力・出力ポート２４には、始動口９（図１及び図２参照）にパチンコ球が入賞したことを検知するための始動口入賞スイッチ８１（図４参照）や、大入賞口１３（図１及び図２参照）にパチンコ球が入賞したことを検知するための大入賞口スイッチ８２、大入賞口１３（図１及び図２参照）のＶゾーン（図示せず）にパチンコ球が入賞したことを検知するためのＶゾーンセンサ８３、大入賞口１３（図１及び図２参照）を開閉するための大入賞口開閉ソレノイド８４、ファンＦ１，Ｆ２などが接続されている。
【００３４】
また、サブ制御基板３０には、サブ制御用ＣＰＵ３１や、サブ制御用ＲＯＭ３２、サブ制御用ＲＡＭ３３、入力・出力ポート３４などが搭載されている。さらに、入力・出力ポート３４に対しては、メイン制御基板２０が接続される一方で、表示制御基板４０及び、ランプ制御基板５０、音制御基板６０、賞球制御基板７０が接続されている。そして、サブ制御用ＣＰＵ３１は、メイン制御基板２０から送られてきた情報に従って、サブ制御用ＲＯＭ３２及びサブ制御用ＲＡＭ３３などに記憶された制御方法その他の技術情報に基づき、表示制御基板４０や、ランプ制御基板５０、音制御基板６０、賞球サブ基板７０へ命令を送信する。
【００３５】
また、表示制御基板４０には、表示制御用ＣＰＵ４１や、表示制御用ＲＯＭ４２、表示制御用ＲＡＭ４３、入力・出力ポート４４、ＶＤＰ４５などが搭載されており、表示制御用ＣＰＵ４１は、サブ制御基板３０から送られてきた命令に従って、表示制御用ＲＯＭ４２及び表示制御用ＲＡＭ４３などに記憶された制御方法その他の技術情報に基づき、ＶＤＰ４５に接続された表示器８の表示内容を制御する。
【００３６】
また、ランプ制御基板５０には、ランプ制御用ＣＰＵ５１や、ランプ制御用ＲＯＭ５２、ランプ制御用ＲＡＭ５３、入力・出力ポート５４などが搭載されている。さらに、入力・出力ポート５４には、装飾ランプカバー部３（図１参照）に覆われた各ランプ５５が接続されている。そして、ランプ制御用ＣＰＵ５１は、サブ制御基板３０から送られてきた命令に従って、ランプ制御用ＲＯＭ５２及びランプ制御用ＲＡＭ５３などに記憶された制御方法その他の技術情報に基づき、入力・出力ポート５４に接続された各ランプ５５の点灯内容を制御する。
尚、各ランプ５５は、ＬＥＤであってもよい。
【００３７】
また、音制御基板６０には、音制御用ＣＰＵ６１や、音制御用ＲＯＭ６２、音制御用ＲＡＭ６３、入力・出力ポート６４などが搭載されている。さらに、入力・出力ポート６４には、スピーカ開口部１９（図１参照）に覆われたスピーカ５が接続されている。そして、音制御用ＣＰＵ６１は、サブ制御基板３０から送られてきた命令に従って、音制御用ＲＯＭ６２及び音制御用ＲＡＭ６３などに記憶された制御方法その他の技術情報に基づき、入力・出力ポート６４に接続されたスピーカ５の出力内容を制御する。
【００３８】
また、賞球制御基板７０には、賞球制御用ＣＰＵ７１や、賞球制御用ＲＯＭ７２、賞球制御用ＲＡＭ７３、入力・出力ポート７４などが搭載されている。さらに、入力・出力ポート７４には、始動口９（図１及び図２参照）や大入賞口１３（図１及び図２参照）などにパチンコ球が入賞した際に所定数のパチンコ球を払い出すための賞球払出装置７５が接続されている。そして、賞球制御用ＣＰＵ７１は、サブ制御基板３０から送られてきた命令に従って、賞球制御用ＲＯＭ７２及び賞球制御用ＲＡＭ７３などに記憶された制御方法その他の技術情報に基づき、賞球払出装置７５の動作内容を制御する。
【００３９】
尚、上述した本実施の形態のパチンコ機１の動作内容は、メイン制御基板２０のメイン制御用ＲＯＭ２２などに記憶されたプログラムなどが処理されることにより実行される。
【００４０】
もっとも、ファンＦ１，Ｆ２については、遊技領域Ｕすなわち遊技盤６の中央にセンター飾り部７Ａが配置された場合には、入力・出力ポート２４にファンＦ１が接続される一方、遊技領域Ｕすなわち遊技盤６の中央にセンター飾り部７Ｂが配置された場合には、入力・出力ポート２４にファンＦ２が接続され、メイン制御用ＣＰＵ２１は、メイン制御用ＲＯＭ２２及びメイン制御用ＲＡＭ２３などに記憶された制御方法その他の技術情報に基づき、ファンＦ１，Ｆ２の駆動内容を制御する。
【００４１】
従って、例えば、表示器８に表示された３つの変動図柄が大当たり図柄で停止し所謂「大当たり遊技状態」になった時に、ファンＦ１，Ｆ２を駆動させることにより、人形１０１がはいたスカート１０２を風でなびかせることができる。また、表示器８に特定のキャラクターなどの表示物が表示された時に、ファンＦ１，Ｆ２を駆動させることにより、人形１０１がはいたスカート１０２を風でなびかせることもできる。また、各ランプ５５の点灯内容が特定のものになった時に、ファンＦ１，Ｆ２を駆動させることにより、人形１０１がはいたスカート１０２を風でなびかせることもできる。また、スピーカ５から特定の音が出力された時に、ファンＦ１，Ｆ２を駆動させることにより、人形１０１がはいたスカート１０２を風でなびかせることもできる。
【００４２】
但し、ファンＦ１，Ｆ２については、メイン制御基板２０の入力・出力ポート２４に代わって、図１８に示すように、表示制御基板４０の入力・出力ポート４４に接続されてもよく、この場合には、表示制御用ＣＰＵ４１が、サブ制御基板３０から送られてきた命令に従って、表示制御用ＲＯＭ４２及び表示制御用ＲＡＭ４３などに記憶された制御方法その他の技術情報に基づき、ファンＦ１，Ｆ２の駆動内容を制御する。
【００４３】
また、ファンＦ１，Ｆ２については、メイン制御基板２０の入力・出力ポート２４に代わって、図１９に示すように、ランプ制御基板５０の入力・出力ポート５４に接続されてもよく、この場合には、ランプ制御用ＣＰＵ５１が、サブ制御基板３０から送られてきた命令に従って、ランプ制御用ＲＯＭ５２及びランプ制御用ＲＡＭ５３などに記憶された制御方法その他の技術情報に基づき、ファンＦ１，Ｆ２の駆動内容を制御する。
【００４４】
また、ファンＦ１，Ｆ２については、メイン制御基板２０の入力・出力ポート２４に代わって、図２０に示すように、音制御基板６０の入力・出力ポート６４に接続されてもよく、この場合には、音制御用ＣＰＵ６１が、サブ制御基板３０から送られてきた命令に従って、音制御用ＲＯＭ６２及び音制御用ＲＡＭ６３などに記憶された制御方法その他の技術情報に基づき、ファンＦ１，Ｆ２の駆動内容を制御する。
【００４５】
また、本実施の形態のパチンコ機１では、図１７のブロック図に代えて、図２１のブロック図を使用してもよい。そこで、図２１のブロック図について説明すると、図２１のブロック図では、図１７のブロック図と同様にして、メイン制御基板２０と、表示制御基板４０、ランプ制御基板５０、音制御基板６０、賞球制御基板７０などが設けられているが、図１７のサブ制御基板３０がなく、図１７のサブ制御基板３０の働きを、表示制御基板４０で行っている。
【００４６】
すなわち、図２１に示すように、表示制御基板４０の入力・出力ポート４４に対しては、メイン制御基板２０が接続される一方で、ランプ制御基板５０及び、音制御基板６０、賞球制御基板７０が接続されている。そして、表示制御用ＣＰＵ４１は、メイン制御基板２０から送られてきた情報に従って、表示制御用ＲＯＭ４２及び表示制御用ＲＡＭ４３などに記憶された制御方法その他の技術情報に基づき、ランプ制御基板５０や、音制御基板６０、賞球サブ基板７０へ命令を送信する。
【００４７】
但し、ファンＦ１，Ｆ２については、メイン制御基板２０の入力・出力ポート２４に代わって、図２２に示すように、表示制御基板４０の入力・出力ポート４４に接続されてもよく、この場合には、表示制御用ＣＰＵ４１が、メイン制御基板２０から送られてきた情報に従って、表示制御用ＲＯＭ４２及び表示制御用ＲＡＭ４３などに記憶された制御方法その他の技術情報に基づき、ファンＦ１，Ｆ２の駆動内容を制御する。
【００４８】
また、ファンＦ１，Ｆ２については、メイン制御基板２０の入力・出力ポート２４に代わって、図２３に示すように、ランプ制御基板５０の入力・出力ポート５４に接続されてもよく、この場合には、ランプ制御用ＣＰＵ５１が、表示制御基板４０から送られてきた命令に従って、ランプ制御用ＲＯＭ５２及びランプ制御用ＲＡＭ５３などに記憶された制御方法その他の技術情報に基づき、ファンＦ１，Ｆ２の駆動内容を制御する。
【００４９】
また、ファンＦ１，Ｆ２については、メイン制御基板２０の入力・出力ポート２４に代わって、図２４に示すように、音制御基板６０の入力・出力ポート６４に接続されてもよく、この場合には、音制御用ＣＰＵ６１が、表示制御基板４０から送られてきた命令に従って、音制御用ＲＯＭ６２及び音制御用ＲＡＭ６３などに記憶された制御方法その他の技術情報に基づき、ファンＦ１，Ｆ２の駆動内容を制御する。
【００５０】
また、本実施の形態のパチンコ機１では、図１７のブロック図に代えて、図２５のブロック図を使用してもよい。そこで、図２５のブロック図について説明すると、図２５のブロック図では、図１７のブロック図と同様にして、メイン制御基板２０と、表示制御基板４０、ランプ制御基板５０、音制御基板６０、賞球制御基板７０などが設けられているが、図１７のサブ制御基板３０がなく、図１７のサブ制御基板３０の働きを、ランプ制御基板５０で行っている。
【００５１】
すなわち、図２５に示すように、ランプ制御基板５０の入力・出力ポート５４に対しては、メイン制御基板２０が接続される一方で、表示制御基板４０及び、音制御基板６０、賞球制御基板７０が接続されている。そして、ランプ制御用ＣＰＵ５１は、メイン制御基板２０から送られてきた情報に従って、ランプ制御用ＲＯＭ５２及びランプ制御用ＲＡＭ５３などに記憶された制御方法その他の技術情報に基づき、表示制御基板４０や、音制御基板６０、賞球サブ基板７０へ命令を送信する。
【００５２】
但し、ファンＦ１，Ｆ２については、メイン制御基板２０の入力・出力ポート２４に代わって、図２６に示すように、ランプ制御基板５０の入力・出力ポート５４に接続されてもよく、この場合には、ランプ制御用ＣＰＵ５１が、メイン制御基板２０から送られてきた情報に従って、ランプ制御用ＲＯＭ５２及びランプ制御用ＲＡＭ５３などに記憶された制御方法その他の技術情報に基づき、ファンＦ１，Ｆ２の駆動内容を制御する。
【００５３】
また、ファンＦ１，Ｆ２については、メイン制御基板２０の入力・出力ポート２４に代わって、図２７に示すように、表示制御基板４０の入力・出力ポート４４に接続されてもよく、この場合には、表示制御用ＣＰＵ４１が、ランプ制御基板５０から送られてきた命令に従って、表示制御用ＲＯＭ４２及び表示制御用ＲＡＭ４３などに記憶された制御方法その他の技術情報に基づき、ファンＦ１，Ｆ２の駆動内容を制御する。
【００５４】
また、ファンＦ１，Ｆ２については、メイン制御基板２０の入力・出力ポート２４に代わって、図２８に示すように、音制御基板６０の入力・出力ポート６４に接続されてもよく、この場合には、音制御用ＣＰＵ６１が、ランプ制御基板５０から送られてきた命令に従って、音制御用ＲＯＭ６２及び音制御用ＲＡＭ６３などに記憶された制御方法その他の技術情報に基づき、ファンＦ１，Ｆ２の駆動内容を制御する。
【００５５】
また、本実施の形態のパチンコ機１では、図１７のブロック図に代えて、図２９のブロック図を使用してもよい。そこで、図２９のブロック図について説明すると、図２９のブロック図では、図１７のブロック図と同様にして、メイン制御基板２０と、表示制御基板４０、ランプ制御基板５０、音制御基板６０、賞球制御基板７０などが設けられているが、図１７のサブ制御基板３０がなく、図１７のサブ制御基板３０の働きを、音制御基板６０で行っている。
【００５６】
すなわち、図２９に示すように、音制御基板６０の入力・出力ポート６４に対しては、メイン制御基板２０が接続される一方で、表示制御基板４０及び、ランプ制御基板５０、賞球制御基板７０が接続されている。そして、音制御用ＣＰＵ６１は、メイン制御基板２０から送られてきた情報に従って、音制御用ＲＯＭ６２及び音制御用ＲＡＭ６３などに記憶された制御方法その他の技術情報に基づき、表示制御基板４０や、ランプ制御基板５０、賞球サブ基板７０へ命令を送信する。
【００５７】
但し、ファンＦ１，Ｆ２については、メイン制御基板２０の入力・出力ポート２４に代わって、図３０に示すように、音制御基板６０の入力・出力ポート６４に接続されてもよく、この場合には、音制御用ＣＰＵ６１が、メイン制御基板２０から送られてきた情報に従って、音制御用ＲＯＭ６２及び音制御用ＲＡＭ６３などに記憶された制御方法その他の技術情報に基づき、ファンＦ１，Ｆ２の駆動内容を制御する。
【００５８】
また、ファンＦ１，Ｆ２については、メイン制御基板２０の入力・出力ポート２４に代わって、図３１に示すように、表示制御基板４０の入力・出力ポート４４に接続されてもよく、この場合には、表示制御用ＣＰＵ４１が、音制御基板６０から送られてきた命令に従って、表示制御用ＲＯＭ４２及び表示制御用ＲＡＭ４３などに記憶された制御方法その他の技術情報に基づき、ファンＦ１，Ｆ２の駆動内容を制御する。
【００５９】
また、ファンＦ１，Ｆ２については、メイン制御基板２０の入力・出力ポート２４に代わって、図３２に示すように、ランプ制御基板５０の入力・出力ポート５４に接続されてもよく、この場合には、ランプ制御用ＣＰＵ５１が、音制御基板６０から送られてきた命令に従って、ランプ制御用ＲＯＭ５２及びランプ制御用ＲＡＭ５３などに記憶された制御方法その他の技術情報に基づき、ファンＦ１，Ｆ２の駆動内容を制御する。
【００６０】
以上詳細に説明したように、本実施の形態のパチンコ機１では、風を起こすファンＦ１，Ｆ２と、そのファンＦ１，Ｆ２からの風が当たることにより動き出す布状のスカート１０２と、を備えることにより、スカート１０２の作動機構が、従来技術の欄で述べた機械的動力手段や電気的動力手段とは異なって、外部からの視認が難しい風そのものであり、装飾性に悪影響を及ぼすものでないことから、本実施の形態のパチンコ機１は、装飾性の維持の要請に応じつつも、スカート１０２の形状や配置場所の自由度を増加させるような作動機構を備えたものと言うことができる。
【００６１】
また、パチンコ機の内部や裏面は、掃除することが難しく、塵や埃などが積もりやすい環境なので、ファンＦ１などで風を起こすと、塵や埃などが立ち、さらに、センター飾り部７Ａなどを介して遊技盤６に配設されたスカート１０２に向かう風に塵や埃などが乗って、遊技盤６の遊技領域Ｕに塵や埃などを導きやすくなり、ひいては、パチンコ球が転動する遊技領域Ｕに塵や埃などが存在することが要因となって、本来遊技上にあってはならない事態が発生するおそれがある。この点、本実施の形態のパチンコ機１では、センター飾り部７Ａを介して遊技盤６の裏側に配設されたファンＦ１がケーシング３０１で覆われているので、センター飾り部７Ａを介して遊技盤６に配設されたスカート１０２に向かう風に塵や埃などが乗ることが殆ど無くなり、本来遊技上にあってはならない事態の発生を防止できる。
【００６２】
また、本実施の形態のパチンコ機１において、センター飾り部７Ａ，７Ｂでは、人形１０１がカバー１０３及び庇１０６に囲まれているので、人形１０１がはいているスカート１０２は、遊技領域Ｕを転動するパチンコ球と衝突することがなく、演出専用のものであるから、ファンＦ１，Ｆ２からの風及びスカート１０２の形状によって、パチンコ球の転動が乱れることはない。
【００６３】
尚、本発明は上記実施の形態に限定されるものでなく、その趣旨を逸脱しない範囲で様々な変更が可能である。
例えば、本実施の形態のパチンコ機１では、ファンＦ１，Ｆ２の駆動で発生する風によりなびくスカート１０２をはいた人形１０１を、センター飾り部７Ａ，７Ｂに設けているが（図５、図１１参照）、この点、ガラス扉２のガラス４の左右に確保された正面枠部Ｗの双方又は一方に設けてもよい（図１参照）。
【００６４】
また、本実施の形態のパチンコ機１では、センター飾り部７Ａに取り付けられるファンＦ１として、シロッコファンを使用するが（図９参照）、この点、ターボファンを使用してもよい。
【００６５】
また、本実施の形態のパチンコ機１では、図１７のブロック図で示すように、メイン制御基板２０の入力・出力ポート２４に対してファンＦ１，Ｆ２が接続されているが、この点、メイン制御基板２０の入力・出力ポート２４に代わって、サブ制御基板３０の入力・出力ポート３４に接続されてもよく、この場合には、サブ制御用ＣＰＵ３１が、メイン制御基板２０から送られてきた情報に従って、サブ制御用ＲＯＭ３２及びサブ制御用ＲＡＭ３３などに記憶された制御方法その他の技術情報に基づき、ファンＦ１，Ｆ２の駆動内容を制御する。
【００６６】
また、本実施の形態のパチンコ機１では、図１７のブロック図で示すように、サブ制御基板３０のサブ制御用ＣＰＵ３１が、メイン制御基板２０から送られてされた制御方法その他の技術情報に基づき、表示制御基板４０や、ランプ制御基板５０、音制御基板６０、賞球サブ基板７０へ命令を送信するが、この点、サブ制御基板３０をなくして、メイン制御基板２０のメイン制御用ＣＰＵ２１が、メイン制御用ＲＯＭ２２及びメイン制御用ＲＡＭ２３などに記憶された制御方法その他の技術情報に基づき、表示制御基板４０や、ランプ制御基板５０、音制御基きた情報に従って、サブ制御用ＲＯＭ３２及びサブ制御用ＲＡＭ３３などに記憶板６０、賞球サブ基板７０へ命令を送信してもよい。
【００６７】
そして、ファンＦ１，Ｆ２については、メイン制御基板２０の入力・出力ポート２４に接続されることにより、メイン制御用ＣＰＵ２１が、メイン制御用ＲＯＭ２２及びメイン制御用ＲＡＭ２３などに記憶された制御方法その他の技術情報に基づき、ファンＦ１，Ｆ２の駆動内容を制御する。
【００６８】
但し、ファンＦ１，Ｆ２については、メイン制御基板２０の入力・出力ポート２４に代わって、表示制御基板４０の入力・出力ポート４４に接続されてもよく、この場合には、表示制御用ＣＰＵ４１が、メイン制御基板２０から送られてきた命令に従って、表示制御用ＲＯＭ４２及び表示制御用ＲＡＭ４３などに記憶された制御方法その他の技術情報に基づき、ファンＦ１，Ｆ２の駆動内容を制御する。
【００６９】
また、ファンＦ１，Ｆ２については、メイン制御基板２０の入力・出力ポート２４に代わって、ランプ制御基板５０の入力・出力ポート５４に接続されてもよく、この場合には、ランプ制御用ＣＰＵ５１が、メイン制御基板２０から送られてきた命令に従って、ランプ制御用ＲＯＭ５２及びランプ制御用ＲＡＭ５３などに記憶された制御方法その他の技術情報に基づき、ファンＦ１，Ｆ２の駆動内容を制御する。
【００７０】
また、ファンＦ１，Ｆ２については、メイン制御基板２０の入力・出力ポート２４に代わって、音制御基板６０の入力・出力ポート６４に接続されてもよく、この場合には、音制御用ＣＰＵ６１が、メイン制御基板２０から送られてきた命令に従って、音制御用ＲＯＭ６２及び音制御用ＲＡＭ６３などに記憶された制御方法その他の技術情報に基づき、ファンＦ１，Ｆ２の駆動内容を制御する。
【００７１】
【発明の効果】
本発明のパチンコ機では、風を起こす風力源と、その風力源からの風が当たることにより動き出す形状を有する可動物と、を備えることにより、可動物の作動機構が、従来技術の欄で述べた機械的動力手段や電気的動力手段とは異なって、外部からの視認が難しい風力手段であり、装飾性に悪影響を及ぼすものでないことから、本発明のパチンコ機は、装飾性の維持の要請に応じつつも、可動物の形状や配置場所の自由度を増加させるような作動機構を備えたものと言うことができる。
【００７２】
また、パチンコ機の内部や裏面は、掃除することが難しく、塵や埃などが積もりやすい環境なので、風力源で風を起こすと、塵や埃などが立ち、さらに、遊技盤に配設された「風力可動物」に向かう風に塵や埃などが乗って、遊技盤の遊技領域に塵や埃などを導きやすくなり、ひいては、パチンコ球が転動する遊技領域に塵や埃などが存在することが要因となって、本来遊技上にあってはならない事態が発生するおそれがある。この点、本発明のパチンコ機では、風力源がケーシングされているので、遊技盤に配設された「風力可動物」に向かう風に塵や埃などが乗ることが殆ど無くなり、本来遊技上にあってはならない事態の発生を防止できる。
【００７３】
また、本発明のパチンコ機において、「風力可動物」が演出専用のものであれば、パチンコ球とは接触しないことから、風力源からの風及び「風力可動物」の形状によって、パチンコ球の転動が乱れることはない。
【図面の簡単な説明】
【図１】本発明の一実施の形態によるパチンコ機の正面図である。
【図２】本発明の一実施の形態によるパチンコ機の遊技盤の正面図である。
【図３】本発明の一実施の形態によるパチンコ機の遊技盤の側面図である。
【図４】本発明の一実施の形態によるパチンコ機の遊技盤の背面図である。
【図５】本発明の一実施の形態によるパチンコ機において、カバーを取り外した際のセンター飾り部の正面図である。
【図６】本発明の一実施の形態によるパチンコ機のセンター飾り部の背面図である。
【図７】図５の線Ａ−Ａで切断したセンター飾り部の断面図である。
【図８】本発明の一実施の形態によるパチンコ機において、遠心ファンを取り外した際のセンター飾り部の背面図である。
【図９】本発明の一実施の形態によるパチンコ機で使用する遠心ファンについて、（ａ）は正面図であり、（ｂ）は背面図であり、（ｃ）は側面図であり、（ｄ）は（ｃ）の線Ｂ−Ｂで切断した際の断面図である。
【図１０】図５の線Ａ−Ａで切断したセンター飾り部の断面図であって、人形のスカートとガラスとの距離関係を示した図である。
【図１１】本発明の一実施の形態によるパチンコ機において、カバーを取り外した際のセンター飾り部の正面図である。
【図１２】本発明の一実施の形態によるパチンコ機のセンター飾り部の背面図である。
【図１３】図１１の線Ａ′−Ａ′で切断したセンター飾り部の断面図である。
【図１４】本発明の一実施の形態によるパチンコ機において、プロペラファンを取り外した際のセンター飾り部の背面図である。
【図１５】本発明の一実施の形態によるパチンコ機で使用するプロペラファンについて、（ａ）は正面図であり、（ｂ）は背面図であり、（ｃ）は側面図である。
【図１６】図１１の線Ａ′−Ａ′で切断したセンター飾り部の断面図であって、人形のスカートとガラスとの距離関係を示した図である。
【図１７】本発明の一実施の形態によるパチンコ機のブロック図である。
【図１８】本発明の一実施の形態によるパチンコ機のブロック図である。
【図１９】本発明の一実施の形態によるパチンコ機のブロック図である。
【図２０】本発明の一実施の形態によるパチンコ機のブロック図である。
【図２１】本発明の一実施の形態によるパチンコ機のブロック図である。
【図２２】本発明の一実施の形態によるパチンコ機のブロック図である。
【図２３】本発明の一実施の形態によるパチンコ機のブロック図である。
【図２４】本発明の一実施の形態によるパチンコ機のブロック図である。
【図２５】本発明の一実施の形態によるパチンコ機のブロック図である。
【図２６】本発明の一実施の形態によるパチンコ機のブロック図である。
【図２７】本発明の一実施の形態によるパチンコ機のブロック図である。
【図２８】本発明の一実施の形態によるパチンコ機のブロック図である。
【図２９】本発明の一実施の形態によるパチンコ機のブロック図である。
【図３０】本発明の一実施の形態によるパチンコ機のブロック図である。
【図３１】本発明の一実施の形態によるパチンコ機のブロック図である。
【図３２】本発明の一実施の形態によるパチンコ機のブロック図である。
【符号の説明】
１    パチンコ機
２    ガラス扉
４    ガラス
５    スピーカ
６    遊技盤
８    表示器
２０    メイン制御基板
４０    表示制御基板
５０    ランプ制御基板
５５    ランプ
６０    音制御基板
１０２    スカート
１０３    カバー
１０４    方向制御板
１０５    送風路
１０６    庇
１０７    吹出口
３０１    ケーシング
Ｆ１  遠心ファン
Ｆ２  プロペラファン
Ｌ１  スカートが固定された支点からガラス扉のガラスまでの間隔
Ｌ２  スカートが固定された支点に対してスカートの先端が離れ得る最長距離
Ｐ    スカートが固定された支点
Ｕ    遊技領域
Ｗ    正面枠部
【図１】
2004350977.tif 000003
【図２】
2004350977.tif 000004
【図３】
2004350977.tif 000005
【図４】
2004350977.tif 000006
【図５】
2004350977.tif 000007
【図６】
2004350977.tif 000008
【図７】
2004350977.tif 000009
【図８】
2004350977.tif 000010
【図９】
2004350977.tif 000011
【図１０】
2004350977.tif 000012
【図１１】
2004350977.tif 000013
【図１２】
2004350977.tif 000014
【図１３】
2004350977.tif 000015
【図１４】
2004350977.tif 000016
【図１５】
2004350977.tif 000017
【図１６】
2004350977.tif 000018
【図１７】
2004350977.tif 000019
【図１８】
2004350977.tif 000020
【図１９】
2004350977.tif 000021
【図２０】
2004350977.tif 000022
【図２１】
2004350977.tif 000023
【図２２】
2004350977.tif 000024
【図２３】
2004350977.tif 000025
【図２４】
2004350977.tif 000026
【図２５】
2004350977.tif 000027
【図２６】
2004350977.tif 000028
【図２７】
2004350977.tif 000029
【図２８】
2004350977.tif 000030
【図２９】
2004350977.tif 000031
【図３０】
2004350977.tif 000032
【図３１】
2004350977.tif 000033
【図３２】
2004350977.tif 000034